(57)【要約】【課題】限られた面積に多種多様な表示を実現するために光源は表示面に対し垂直であり、また一つの開口部に対し複数の光源より多種の発光色を射出しなければならないことから、表示装置を正面からみたとき光度、色にムラが生じていた。【解決手段】表示装置２を、複数のＬＥＤ５等の光源と、それらの複数の光源からの光を１箇所の開口部より透過させるとともに内側が連続した凹レンズ構造とした導光部４と、前記導光部により均一化された光を透過し使用者に光とその色により機器の運転状態を認識可能とする表示板３と、光漏れを防ぐための壁６で構成し、前記光源はそれぞれ単色かつ異なる色であって機器の運転状態により光源の色を可変させ、前記凹レンズ構造の接点に光源を配置する。【選択図】図１
2008122045.tif 000002
【特許請求の範囲】
【請求項１】
使用者に機器の運転状態を表示するものであって、複数のＬＥＤ等の光源と、それらの複数の光源からの光を１箇所の開口部より透過させるとともに内側が連続した凹レンズ構造とした導光部と、前記導光部により均一化された光を透過し使用者に光とその色により機器の運転状態を認識可能とする表示板と、光漏れを防ぐための壁で構成し、前記光源はそれぞれ単色かつ異なる色であって機器の運転状態により光源の色を可変させ、前記凹レンズ構造の接点に光源を配置したことを特徴とする空気調和機の表示装置。
【請求項２】
複数且つ異なる色の光源を少なくとも２種の光源を同時に点灯させ、混色することにより色による機器の動作状態表現に幅を持たすことを特徴とした請求項１記載の空気調和機の表示装置。
【発明の詳細な説明】
【技術分野】
【０００１】
本発明は、空気調和機の表示装置に関するものである。
【背景技術】
【０００２】
従来の表示装置では点光源とプリズム構造を有する導光板にて構成することにより点の光を面の光に変換し効率的に光を取り出すものであった（例えば、特許文献１参照）。
【０００３】
また、導光板裏面に反射板を効果的に接着することにより点光源の光を面で拡散する際に光ムラをなくすものであった（例えば、特許文献２参照）。
【０００４】
また、複数の光源からの光を導光板側面より入射させ、その導光板側面に凹凸を設けたことによりムラなく面発光させるようにしたものであった（例えば、特許文献３参照）。
【０００５】
図２は従来の表示装置の概略構成図である。図２は空気調和機の表示装置を例としている。同図において、リモコンによる運転等が行なわれると、室内機に設置された表示装置はリモコンの運転モードに応じて表示装置に実装されたＬＥＤ等の光源により発光色、発光数を変化させその運転状態を表現する。
【特許文献１】特開平１１−３２９０３９号公報
【特許文献２】特開２００１−４３７２０号公報
【特許文献３】特開２００４−１２７９３１号公報
【発明の開示】
【発明が解決しようとする課題】
【０００６】
特許文献１には、点光源からの光を面発光へ効率的に変換する構成、特許文献２には、反射板により効率的な面発光を行なう構成、特許文献３には、導光板に設けた凹凸により複数の光源から発せられた光をムラなく面発光させる構成が記載されている。
【０００７】
いずれの構成も光源からの光を導光板の側面から入射し、ムラのない面発光を行なうものである。また、従来例における表示装置では限られた面積に多種多様な表示を実現するために光源は表示面に対し垂直でありまた一つの開口部に対し複数の単色光源より、多種の発光色を射出しなければならないことから表示装置を正面からみたとき光度、色にムラが生じていた。
【０００８】
また、対処法としてひとつのパッケージに複数個のＬＥＤチップを搭載した多色ＬＥＤによる混色、多色発光も考えられるがこれらの多色ＬＥＤはコストが高いなど課題があった。
【０００９】
本発明は、上記従来の課題を解決するもので、安価で、光ムラのない表示装置を提供することを目的とする。
【課題を解決するための手段】
【００１０】
上記従来の課題を解決するために、本発明の表示装置は光源に複数の単色ＬＥＤを配置し、光源と表示用表示板の間に特殊な構造をもった導光板を挿入する構成としたものである。
【発明の効果】
【００１１】
本発明の表示装置は、光源に複数の単色ＬＥＤを配置し、光源と表示用表示板の間に特
殊な構造をもった導光板を挿入する構成により安価で光ムラのない空気調和機の表示装置とすることができる。
【００１２】
また、一つの開口部に対し配置された複数で且つ異なる色の各単色ＬＥＤを同時点灯させる制御とすることで、表示装置の表現色を増やすことができ、このことにより空気調和機の運転状況をより多彩に表現することができる。
【発明を実施するための最良の形態】
【００１３】
第１の発明は、複数のＬＥＤ等の光源と、それらの複数の光源からの光を１箇所の開口部より透過させるとともに内側が連続した凹レンズ構造とした導光部と、前記導光部により均一化された光を透過し使用者に光とその色により機器の運転状態を認識可能とする表示板と、光漏れを防ぐための壁で構成し、前記光源はそれぞれ単色かつ異なる色であって機器の運転状態により光源の色を可変させ、前記凹レンズ構造の接点に光源を配置することにより、安価で光ムラのない空気調和機の表示装置を実現することができる。
【００１４】
第２の発明は、複数且つ異なる色の光源を少なくとも２種の光源を同時に点灯させ、混色することにより色による機器の動作状態表現に幅を持たすことができる。
【００１５】
（実施の形態１）
図１は、本発明の実施の形態１における空気調和機の表示装置の概略構成図である。単色でかつそれぞれが異なる色の光を発するＬＥＤ等の光源を複数配置し光源の周囲には光漏れを防ぐための壁が準備されている。光源からの光は光源の高指向性方向に開口した壁の開口部より放出されるが、それぞれの光源は、物理的な位置をずらしてプリント基板に実装されているため、図２に示す従来例のように開口部に対し、中心付近の光源もあれば端に寄っている光源も存在する。光は光源より発し半透明の表示板を介して外界に射出し機器の使用者に機器の動作状態を知らしめることとなるが、このとき中心に位置しない光源が発光した場合、光源が実装されている位置と反対の端には光の導伝量が減少するため光度が低い、つまり見えにくくなってしまうことになる。
【００１６】
本発明では、光源と表示板の間に開口部の端に実装された光源からの光度を反対端面まで均一化する構造の導光板を挿入する構成とした。
【００１７】
本導光板は図１（ｂ）のように光源の直前では一定の厚みがあり、光源から離れた箇所では薄肉の構造となっている。また、厚肉部分から薄肉部分までは曲面状の変化を有しており、図のように光源からの直接光と曲面の反射による反射光と導光による光により光源から離れた部分でも一定の光度を得ることができる。一方光源の直前では導光板が肉厚となっているため指向性のもっとも強い方向では光が減衰することになる。
【００１８】
以上の作用により開口部端面に実装された光源からの光においても使用者が視認できる表示板表面においては開口部全面が均一化された光となる。このことにより最も安価な単色ＬＥＤにおいても広角に開口された発光部でも複数の光による表現が違和感なく可能となる。
【００１９】
尚、表示板は、機器の運転状態を認識可能とするだけでなく、機器全体のデザイン性を損なわないように考慮することが望ましい。
【００２０】
（実施の形態２）
実施の形態１では例えば３個のＬＥＤを用い、それぞれ「赤」「黄」「青」の３色を使用した場合、単色光のため３種類の状態表現でしかない。本発明では、機器の運転状況により光源の複数同時点灯の制御とした。
【００２１】
これらを実施の形態１で示した構成に使用することにより、３個のＬＥＤ使用時にはその組み合わせの種類である７種類の色で動作を表現することが安価に可能となる。
【産業上の利用可能性】
【００２２】
本発明にかかる空気調和機の表示装置は、空気清浄機，給湯器，加湿器，換気装置など表示に光源を用いる機器全般に適用することができる。
【図面の簡単な説明】
【００２３】
【図１】本発明の実施の形態１における表示装置の概略図
【図２】従来技術における表示装置の概略図
【符号の説明】
【００２４】
１  全体を制御する電子制御装置
２  表示装置
３  表示板
４  導光板
５  ＬＥＤ
６  光漏防止壁
【図１】
2008122045.tif 000003
【図２】
2008122045.tif 000004